(57)【要約】【課題】  ユーザが表示部の表示を容易に認識できるように、表示部の表示設定を自動的に変更することが可能な携帯端末および表示制御方法を提供する。【解決手段】  距離測定部１３は、ユーザまでの距離を測定する。ＣＰＵ２０は、表示部１５に表示される表示の明るさおよび表示部１５に表示される３次元表示の際の右眼用画像および左眼用画像の間隔を、距離測定部１３によって測定された距離に基づいて制御する。【選択図】      図２
2005202208.tif 000002
【特許請求の範囲】
【請求項１】
表示を行う表示部と、
ユーザまでの距離を測定する距離測定部と、
前記距離測定部によって測定された距離に基づいて前記表示部の表示の明るさを制御する制御部とを含むことを特徴とする携帯端末。
【請求項２】
請求項１に記載の携帯端末において、
前記表示部は、表示を行う表示実行部と、前記表示実行部に光を供給する光供給部とを含み、
前記制御部は、前記表示実行部が表示を実行しているときに前記光供給部から該表示実行部に供給される光の量を前記距離測定部によって測定された距離に基づいて制御することを特徴とする携帯端末。
【請求項３】
請求項２に記載の携帯端末において、
前記表示実行部は、液晶ディスプレイであり、
前記光供給部は、前記液晶ディスプレイのバックライトであることを特徴とする携帯端末。
【請求項４】
請求項１に記載の携帯端末において、
前記表示部は、複数の画素を有し、各画素が発光することにより表示を実行し、
前記制御部は、前記画素の発光強度を前記距離測定部によって測定された距離に基づいて制御することを特徴とする携帯端末。
【請求項５】
請求項４に記載の携帯端末において、
前記表示部は、有機ＥＬディスプレイであることを特徴とする携帯端末。
【請求項６】
請求項１ないし５のいずれか１項に記載の携帯端末において、
前記距離測定部によって測定された距離に基づいてオートフォーカスを実行するカメラをさらに含むことを特徴とする携帯端末。
【請求項７】
請求項１ないし６のいずれか１項に記載の携帯端末において、
前記制御部は、所定時間内に前記距離測定部によって複数回測定された距離の平均値を算出し、前記表示の明るさを該距離の平均値に基づいて制御することを特徴とする携帯端末。
【請求項８】
請求項１ないし６のいずれか１項に記載の携帯端末において、
前記制御部は、前記距離測定部によって測定された距離が制御基準値を第１の所定値以上上回った際に前記表示の明るさを変更し、前記距離測定部によって測定された距離が前記制御基準値を第２の所定値以上下回った際に前記表示の明るさを変更前の明るさにすることを特徴とする携帯端末。
【請求項９】
３次元表示用の右眼用画像および左眼用画像を表示する表示部と、
ユーザまでの距離を測定する距離測定部と、
前記右眼用画像と前記左眼用画像との間隔を、前記距離測定部によって測定された距離に基づいて制御する制御部とを含むことを特徴とする携帯端末。
【請求項１０】
請求項９に記載の携帯端末において、
前記距離測定部によって測定された距離に基づいてオートフォーカスを実行するカメラをさらに含むことを特徴とする携帯端末。
【請求項１１】
請求項９または１０に記載の携帯端末において、
前記制御部は、所定時間内に前記距離測定部によって複数回測定された距離の平均値を算出し、前記右眼用画像と左眼用画像との間隔を、該距離の平均値に基づいて制御することを特徴とする携帯端末。
【請求項１２】
請求項９または１０に記載の携帯端末において、
前記制御部は、前記距離測定部によって測定された距離が制御基準値を第１の所定値以上上回った際に前記右眼用画像と左眼用画像との間隔を変更し、前記距離測定部によって測定された距離が前記制御基準値を第２の所定値以上下回った際に前記右眼用画像と左眼用画像との間隔を変更前の間隔にすることを特徴とする携帯端末。
【請求項１３】
表示を行う表示部を備えた携帯端末が行う表示制御方法であって、
ユーザまでの距離を測定する距離測定ステップと、
前記表示部の表示の明るさを前記距離測定ステップによって測定された距離に基づいて制御する制御ステップとを含むことを特徴とする表示制御方法。
【請求項１４】
請求項１３に記載の表示制御方法において、
前記表示部は、表示を行う表示実行部と、前記表示実行部に光を供給する光供給部とを含み、
前記制御ステップは、前記表示実行部が表示を実行しているときに前記光供給部から該表示実行部に供給される光の量を前記距離測定ステップによって測定された距離に基づいて制御することを特徴とする表示制御方法。
【請求項１５】
請求項１３に記載の表示制御方法において、
前記表示部は、複数の画素を有し、各画素が発光することにより表示を実行し、
前記制御ステップは、前記画素の発光強度を前記距離測定ステップによって測定された距離に基づいて制御することを特徴とする表示制御方法。
【請求項１６】
請求項１３ないし１５のいずれか１項に記載の表示制御方法において、
前記距離測定ステップで測定された距離に基づいてカメラのオートフォーカスを実行するオートフォーカスステップをさらに含むことを特徴とする表示制御方法。
【請求項１７】
請求項１３ないし１６のいずれか１項に記載の表示制御方法において、
前記制御ステップは、所定時間内に前記距離測定ステップで複数回測定された距離の平均値を算出し、前記表示の明るさを該距離の平均値に基づいて制御することを特徴とする表示制御方法。
【請求項１８】
請求項１３ないし１６のいずれか１項に記載の表示制御方法において、
前記制御ステップは、前記距離測定ステップで測定された距離が制御基準値を第１の所定値以上上回った際に前記表示の明るさを変更し、前記距離測定ステップで測定された距離が前記制御基準値を第２の所定値以上下回った際に前記表示の明るさを変更前の明るさにすることを特徴とする表示制御方法。
【請求項１９】
３次元表示用の右眼用画像および左眼用画像を表示する表示部を備えた携帯端末が行う表示制御方法であって、
ユーザまでの距離を測定する距離測定ステップと、
前記右眼用画像と前記左眼用画像との間隔を、前記距離測定ステップで測定された距離に基づいて制御する制御ステップとを含むことを特徴とする表示制御方法。
【請求項２０】
請求項１９に記載の表示制御方法において、
前記距離測定ステップで測定された距離に基づいてカメラのオートフォーカスを実行するオートフォーカスステップをさらに含むことを特徴とする表示制御方法。
【請求項２１】
請求項１９または２０に記載の表示制御方法において、
前記制御ステップは、所定時間内に前記距離測定ステップで複数回測定された距離の平均値を算出し、前記右眼用画像と左眼用画像との間隔を、該距離の平均値に基づいて制御することを特徴とする表示制御方法。
【請求項２２】
請求項１９または２０に記載の表示制御方法において、
前記制御ステップは、前記距離測定ステップで測定された距離が制御基準値を第１の所定値以上上回った際に前記右眼用画像と左眼用画像との間隔を変更し、前記距離測定ステップで測定された距離が前記制御基準値を第２の所定値以上下回った際に前記右眼用画像と左眼用画像との間隔を変更前の間隔にすることを特徴とする表示制御方法。
【発明の詳細な説明】
【技術分野】
【０００１】
本発明は、携帯端末および表示制御方法に関し、特には、表示部を備えた携帯端末およびその表示制御方法に関する。
【背景技術】
【０００２】
携帯電話端末などの携帯端末の多くは表示部を備えている。携帯端末の表示部の表示は、携帯端末からユーザまでの距離の長さによりユーザにとって見にくくなる場合がある。
【０００３】
従来、携帯端末の表示部の表示が携帯端末からユーザまでの距離に応じてユーザにとって見にくくなってしまうという問題を解決するための技術が提案されている。
【０００４】
例えば、特許文献１（特開２００３−２７１２７６号公報）には、ユーザまでの距離を測定し、測定した距離に応じて、表示フォントサイズまたは表示のコントラストを調整するデータ出力装置が記載されている（特開２００３−２７１２７６号公報の図７、図８および段落００３４参照）。
【０００５】
特許文献２（特開平１０−２６０６６６号公報）には、ユーザまでの距離を測定し、測定した距離に応じて表示フォントサイズを調整するワードプロセッサが記載されている。
【特許文献１】特開２００３−２７１２７６号公報
【特許文献２】特開平１０−２６０６６６号公報
【発明の開示】
【発明が解決しようとする課題】
【０００６】
特許文献１および特許文献２には、ユーザまでの距離に応じて、表示フォントサイズまたは表示のコントラストを変更する電子機器が記載されている。
【０００７】
しかしながら、ユーザまでの距離に応じて、表示フォントサイズまたは表示のコントラストを変更しても、携帯端末の表示がユーザによって容易に認識されない場合が発生する可能性がある。この場合、ユーザは、携帯端末の表示を見やすくするために、携帯端末の表示部の設定（例えば、表示部の明るさ、または、３次元表示用の右眼用画像および左眼用画像の間隔）を自ら変更しなければならなかった。
【０００８】
本発明の目的は、ユーザが表示部の表示を容易に認識できるように、表示部の表示設定を自動的に変更することが可能な携帯端末および表示制御方法を提供することである。
【課題を解決するための手段】
【０００９】
上記の目的を達成するために、本発明の携帯端末は、表示を行う表示部と、ユーザまでの距離を測定する距離測定部と、前記距離測定部によって測定された距離に基づいて前記表示部の表示の明るさを制御する制御部とを含むことを特徴とする。
【００１０】
また、本発明の表示制御方法は、表示を行う表示部を備えた携帯端末が行う表示制御方法であって、ユーザまでの距離を測定する距離測定ステップと、前記距離測定ステップによって測定された距離に基づいて前記表示の明るさを制御する制御ステップとを含むことを特徴とする。
【００１１】
上記の発明によれば、表示の明るさがユーザまでの距離に基づいて制御される。このため、ユーザまでの距離が長くなるにつれて自動的に表示の明るさを徐々に明るくまたは暗くするような表示の明るさの制御が可能となる。したがって、ユーザが手動で表示部の設定を変更することなく、ユーザは表示部の表示を容易に認識することが可能となる。
【００１２】
また、上記の携帯端末において、前記表示部は、表示を行う表示実行部と、前記表示実行部に光を供給する光供給部とを含み、前記制御部は、前記表示実行部が表示を実行しているときに前記光供給部から該表示実行部に供給される光の量を前記距離測定部によって測定された距離に基づいて制御することが望ましい。
【００１３】
また、上記の表示制御方法において、前記表示部は、表示を行う表示実行部と、前記表示実行部に光を供給する光供給部とを含み、前記制御ステップは、前記表示実行部が表示を実行しているときに前記光供給部から該表示実行部に供給される光の量を前記距離測定ステップによって測定された距離に基づいて制御することが望ましい。
【００１４】
また、上記の携帯端末において、前記表示実行部は、液晶ディスプレイであり、前記光供給部は、前記液晶ディスプレイのバックライトであることが望ましい。
【００１５】
また、上記の携帯端末において、前記表示部は、複数の画素を有し、各画素が発光することにより表示を実行し、前記制御部は、前記画素の発光強度を前記距離測定部によって測定された距離に基づいて制御することが望ましい。
【００１６】
また、上記の表示制御方法において、前記表示部は、複数の画素を有し、各画素が発光することにより表示を実行し、前記制御ステップは、前記画素の発光強度を前記距離測定ステップによって測定された距離に基づいて制御することが望ましい。
【００１７】
また、上記の携帯端末において、前記表示部は、有機ＥＬディスプレイであることが望ましい。
【００１８】
また、上記の携帯端末において、前記距離測定部によって測定された距離に基づいてオートフォーカスを実行するカメラをさらに含むことが望ましい。
【００１９】
上記の発明によれば、距離測定部によって測定された距離に基づいて表示の制御とオートフォーカスとが実行される。したがって、表示制御専用の距離測定部とオートフォーカス専用の距離測定部とを別々に設ける場合に比べて構成の簡略化が図れる。
【００２０】
また、上記の表示制御方法において、前記距離測定ステップで測定された距離に基づいてカメラのオートフォーカスを実行するオートフォーカスステップをさらに含むことが望ましい。
【００２１】
上記の発明によれば、測定された距離に基づいて表示の制御およびオートフォーカスとが実行される。したがって、１つの測定距離を表示制御用とオートフォーカス用とに用いることが可能となる。
【００２２】
また、上記の携帯端末において、前記制御部は、所定時間内に前記距離測定部によって複数回測定された距離の平均値を算出し、前記表示の明るさを該距離の平均値に基づいて制御することが望ましい。
【００２３】
また、上記の表示制御方法において、前記制御ステップは、所定時間内に前記距離測定ステップで複数回測定された距離の平均値を算出し、前記表示の明るさを該距離の平均値に基づいて制御することが望ましい。
【００２４】
上記の発明によれば、所定時間内に測定された距離の平均値が算出され、表示の明るさが距離の平均値に基づいて制御される。距離の平均値の変化は、個々の測定によって得られる距離ごとの変化より小さくなる可能性が高い。このため、測定された距離の平均値に基づいて表示の明るさを制御する場合、個々の測定距離に応じて表示の明るさを変化させる場合に比べて、表示の明るさの変動を少なくすることが可能となる。よって、ユーザが表示内容を容易に認識することが可能な表示を実行することが可能となる。
【００２５】
また、上記の携帯端末において、前記制御部は、前記距離測定部によって測定された距離が制御基準値を第１の所定値以上上回った際に前記表示の明るさを変更し、前記距離測定部によって測定された距離が前記制御基準値を第２の所定値以上下回った際に前記表示の明るさを変更前の明るさにすることが望ましい。
【００２６】
また、上記の表示制御方法において、前記制御ステップは、前記距離測定ステップで測定された距離が制御基準値を第１の所定値以上上回った際に前記表示の明るさを変更し、前記距離測定ステップで測定された距離が前記制御基準値を第２の所定値以上下回った際に前記表示の明るさを変更前の明るさにすることが望ましい。
【００２７】
上記の発明によれば、測定された距離が制御基準値を第１の所定値以上上回った際に、表示の明るさが変更され、測定された距離が制御基準値を第２の所定値以上下回った際に、表示の明るさが変更前の状態に戻される。このため、測定された距離が制御基準値近傍で変動する場合でも、表示の明るさが頻繁に変わることを防止することが可能となる。よって、ユーザが表示内容を容易に認識することが可能な表示を実行することが可能となる。
【００２８】
また、本発明の携帯端末は、３次元表示用の右眼用画像および左眼用画像を表示する表示部と、ユーザまでの距離を測定する距離測定部と、前記右眼用画像と前記左眼用画像との間隔を、前記距離測定部によって測定された距離に基づいて制御する制御部とを含むことを特徴とする。
【００２９】
また、本発明の表示制御方法は、３次元表示用の右眼用画像および左眼用画像を表示する表示部を備えた携帯端末が行う表示制御方法であって、ユーザまでの距離を測定する距離測定ステップと、前記右眼用画像と前記左眼用画像との間隔を、前記距離測定ステップで測定された距離に基づいて制御する制御ステップとを含むことを特徴とする。
【００３０】
上記の発明によれば、右眼用画像と左眼用画像との間隔が、距離測定部によって測定された距離に基づいて制御される。このため、ユーザまでの距離が長くなるにつれて自動的に右眼用画像と左眼用画像との間隔を長くすることが可能となる。したがって、ユーザが手動で表示部の設定を変更することなく、ユーザは表示部の表示を容易に認識し、かつ、３次元表示を同じ立体感で得ることが可能となる。
【００３１】
また、上記の携帯端末において、前記距離測定部によって測定された距離に基づいてオートフォーカスを実行するカメラをさらに含むことが望ましい。
【００３２】
上記の発明によれば、距離測定部によって測定された距離に基づいて表示の制御とオートフォーカスとが実行される。したがって、表示制御専用の距離測定部とオートフォーカス専用の距離測定部とを別々に設ける場合に比べて構成の簡略化が図れる。
【００３３】
また、上記の表示制御方法において、前記距離測定ステップで測定された距離に基づいてカメラのオートフォーカスを実行するオートフォーカスステップをさらに含むことが望ましい。
【００３４】
上記の発明によれば、測定された距離に基づいて表示の制御とオートフォーカスとが実行される。したがって、１つの測定距離を表示制御用とオートフォーカス用に用いることが可能となる。
【００３５】
また、上記の携帯端末において、前記制御部は、所定時間内に前記距離測定部によって複数回測定された距離の平均値を算出し、前記右眼用画像と左眼用画像との間隔を、該距離の平均値に基づいて制御することが望ましい。
【００３６】
また、上記の表示制御方法において、前記制御ステップは、所定時間内に前記距離測定ステップで複数回測定された距離の平均値を算出し、前記右眼用画像と左眼用画像との間隔を、該距離の平均値に基づいて制御することが望ましい。
【００３７】
上記の発明によれば、所定時間内に測定された距離の平均値が算出され、右眼用画像と左眼用画像との間隔が距離の平均値に基づいて制御される。距離の平均値の変化は、個々の測定によって得られる距離ごとの変化より小さくなる可能性が高い。このため、測定された距離の平均値に基づいて右眼用画像と左眼用画像との間隔を制御する場合、個々の測定距離に応じて右眼用画像と左眼用画像との間隔を変化させる場合に比べて、右眼用画像と左眼用画像との間隔の変動を少なくすることが可能となる。よって、ユーザが表示内容を容易に認識することが可能な表示を実行することが可能となる。
【００３８】
また、上記の携帯端末において、前記制御部は、前記距離測定部によって測定された距離が制御基準値を第１の所定値以上上回った際に前記右眼用画像と左眼用画像との間隔を変更し、前記距離測定部によって測定された距離が前記制御基準値を第２の所定値以上下回った際に前記右眼用画像と左眼用画像との間隔を変更前の間隔にすることが望ましい。
【００３９】
また、上記の表示制御方法において、前記制御ステップは、前記距離測定ステップで測定された距離が制御基準値を第１の所定値以上上回った際に前記右眼用画像と左眼用画像との間隔を変更し、前記距離測定ステップで測定された距離が前記制御基準値を第２の所定値以上下回った際に前記右眼用画像と左眼用画像との間隔を変更前の間隔にすることが望ましい。
【００４０】
上記の発明によれば、測定された距離が制御基準値を第１の所定値以上上回った際に右眼用画像と左眼用画像との間隔が変更され、測定された距離が制御基準値を第２の所定値以上下回った際に右眼用画像と左眼用画像との間隔が変更前の状態に戻される。このため、測定された距離が制御基準値近傍で変動する場合でも、右眼用画像と左眼用画像との間隔が頻繁に変わることを防止することが可能となる。よって、ユーザが表示内容を容易に認識することが可能な表示を実行することが可能となる。
【発明の効果】
【００４１】
本発明によれば、表示の明るさ、または、３次元表示用の右眼用画像および左眼用画像の間隔が、ユーザまでの距離に基づいて制御される。このため、ユーザまでの距離が長くなるにつれて自動的に表示の明るさを徐々に明るくまたは徐々に暗くすることが可能となる。また、ユーザまでの距離が長くなるにつれて右眼用画像と左眼用画像との間隔を徐々に広げることが可能となる。
【００４２】
したがって、ユーザが手動で表示部の設定を変更することなく、ユーザは表示部の表示を容易に認識することが可能となる。
【発明を実施するための最良の形態】
【００４３】
以下、本発明の一実施例を図面を参照して説明する。
【００４４】
図１は、本発明の一実施例の携帯端末としての携帯電話機の外観を示した模式図である。
【００４５】
なお、携帯端末は、携帯電話機に限るものではなく適宜変更可能である。例えば、携帯端末は、携帯通信端末であってもよく、ＰＨＳ（Personal Handyphone System）端末であってもよく、ＰＤＡ（Personal Digital Assistance）であってもよい。
【００４６】
図１において、携帯電話機１は、操作部１１と、アンテナ１２と、距離測定部１３と、オートフォーカスカメラ１４と、表示部１５と、ヒンジ１６と、上部筐体１７と、下部筐体１８とを含む。オートフォーカスカメラ１４は、レンズ１４ａを含む。
【００４７】
携帯電話機１は、上部筐体１７がヒンジ１６を軸中心として下部筐体１８に対して動く、いわゆる折り畳み型の携帯電話機である。
【００４８】
なお、携帯電話機１は、折り畳み型の携帯電話機に限るものではなく適宜変更可能である。例えば、携帯電話機は、ヒンジ軸が上部筐体および下部筐体の厚み方向に伸びるように配設され、上部筐体がヒンジ軸を回転中心として回転する、いわゆる回転型の携帯電話機でもよい。また、携帯電話機は、上部筐体が下部筐体に対してスライドするスライド型の携帯電話機でもよい。
【００４９】
操作部１１は、ユーザによって操作される。操作部１１は、電源ボタン、着信ボタン、ダイヤルボタンおよびファンクションボタンなどの各種の操作ボタンを含む。アンテナ１２は、無線電波の送信および受信を行う。
【００５０】
距離測定部１３は、表示部１５を見るユーザ（以下「ユーザ」と称する。）と距離測定部１３との間の距離を測定する。距離測定部１３は、測定した距離を示す距離情報を出力する。距離測定部１３は、アクティブセンサでもよく、パッシブセンサでもよい。
【００５１】
例えば、距離測定部１３は、超音波を放射してから、放射した超音波がユーザによって反射されて自己に戻ってくるまでの時間を測定し、測定した時間からユーザまでの距離を求めるアクティブセンサでもよい。
【００５２】
また、距離測定部１３は、赤外光などの光ビームを照射する光照射部と、ユーザによって反射された光照射部からの光ビームを受光する受光部とを含み、光ビームの受光部上の受光位置に基づいて三角測量の原理からユーザまでの距離を測定するアクティブセンサでもよい。
【００５３】
また、距離測定部１３は、以下のようなパッシブセンサでもよい。
【００５４】
パッシブセンサは、示すレンズ１４ａの位置を、レンズ１４ａを通してカメラ１４に入射する光に基づいて制御することによって、レンズ１４ａを介してカメラ１４に入射する像の焦点をカメラ１４の撮像面に合わせる。パッシブセンサは、ユーザまでの距離を、カメラ１４に入射する像の焦点がカメラ１４の撮像面にあるときのレンズ１４ａの位置に基づいて測定する。この場合、距離測定部１３は、携帯電話機１の内部に搭載される。
【００５５】
なお、レンズ１４ａの位置制御はオートフォーカスカメラが行い、パッシブセンサはユーザまでの距離を、カメラ１４に入射する像の焦点がカメラ１４の撮像面にあるときのレンズ１４ａの位置に基づいて測定するようにしてもよい。この場合、距離測定部１３は、携帯電話機１の内部に搭載される。この場合も、距離測定部１３は、携帯電話機１の内部に搭載される。
【００５６】
なお、本実施例では、パッシブセンサの距離測定部１３が用いられるものとする。
【００５７】
オートフォーカスカメラ１４は、デジタルカメラであり、距離測定部１３によって測定された距離に基づいてレンズ１４ａの位置を制御することによってオートフォーカスを実行することが望ましい。
【００５８】
表示部１５は、電話番号の表示、オートフォーカスカメラ１４によって撮影された画像、通信相手から送られてきた画像および３次元表示用画像などのさまざまな表示を行う。表示部１５は、３次元表示用画像として、右眼用画像および左眼用画像とを表示する。
【００５９】
表示部１５が行う３次元表示、具体的には、両眼視差（左眼と右眼の見え方の違い）を利用した３次元表示は、例えば、以下のように行う。
【００６０】
表示部１５が有する複数の画素のそれぞれに右眼用画像用フィルタまたは左眼用画像用フィルタを設ける。なお、右眼用画像用フィルタが透過する光の偏光方向と左眼用画像用フィルタが透過する光の偏光方向とは直交しているものとする。表示部１５は、右眼用画像用フィルタが設けられた画素にて右眼用画像を表示し、左眼用画像用フィルタが設けられた画素にて左眼用画像を表示する。
【００６１】
ユーザは、例えば、右眼用画像用フィルタと左眼用画像用フィルタとを備えた偏光眼鏡を用いて、右眼用画像フィルタを透過した画像（右眼用画像）のみが自己の右眼に入るようにし、左眼用画像フィルタを透過した画像（左眼用画像）のみが自己の左眼に入るようにする。
【００６２】
なお、表示部１５が行う３次元表示は、上記に限るものではなく適宜変更可能である。
【００６３】
例えば、表示部１５が有する複数の画素のそれぞれに色フィルタを設け、複数の画素の色を２色にする。なお、複数の画素の色を色フィルタにより２色にする場合、２色の各色は、互いの色を構成する各波長領域が重ならない２種の光によりそれぞれ特定される色としてもよい。表示部１５は、一方の色の画素にて右眼用画像を表示し、他方の色の画素にて左眼用画像を表示する。
【００６４】
ユーザは、例えば、一方の色を通し他方の色を通さないフィルタおよび他方の色を通し一方の色を通さないフィルタとを備えた眼鏡を用いて、右眼用画像のみが自己の右眼に入るようにし、左眼用画像のみが自己の左眼に入るようにする。
【００６５】
また、例えば、表示部１５が有する複数の画素の全てに、画素の大きさをピッチとする蒲鉾型（半円柱型）レンズを設置する。表示部１５が有する複数の画素は、蒲鉾型（半円柱型）レンズによって、右眼用画像用の画素と左眼用画像用の画素とに分けられる。表示部１５は、右眼用画像用の画素で右眼用画像を表示し、左眼用画像用の画素で左眼用画像を表示する。蒲鉾型（半円柱型）レンズは、右眼用画像をユーザの右眼に供給し、左眼用画像をユーザの左眼に供給する。
【００６６】
表示部１５の表示は、距離測定部１３によって測定された距離に応じて制御される。例えば、表示部１５の表示の明るさは、距離測定部１３によって測定された距離に応じて制御される。また、右眼用画像と左眼用画像との間隔は、距離測定部１３によって測定された距離に応じて制御される。
【００６７】
図２は、携帯電話機１の一例を示したブロック図である。なお、図２において、図１に示したものと同一構成のものには同一符号を付してある。
【００６８】
図２において、携帯電話機１は、操作部１１と、アンテナ１２と、距離測定部１３と、オートフォーカスカメラ１４と、表示部１５と、ＲＯＭ１９と、ＣＰＵ２０と、ＲＡＭ２１と、通信制御部２２と、音声信号処理部２３と、マイク２４と、スピーカ２５と、画像信号処理部２６と、Ａ／Ｄ変換回路２７とを含む。表示部１５は、液晶ディスプレイ（ＬＣＤ）１５ａとバックライト１５ａとを含む。
【００６９】
なお、表示部１５は、液晶ディスプレイ１５ａとバックライト１５ａとを含む表示部に限るものではなく適宜変更可能である。例えば、表示部１５は、例えば、有機ＥＬディスプレイのように、複数の画素を有し、各画素が発光することにより表示を実行する表示部でもよい。
【００７０】
ＲＯＭ１９は、携帯電話機１を制御するための制御プログラムが記録されている。
【００７１】
制御部としてのＣＰＵ２０は、ＲＯＭ１９に記録されている制御プログラムにしたがって携帯電話機１の全体の制御を行う。
【００７２】
例えば、ＣＰＵ２０は、表示部１５に表示される表示の明るさおよび表示部１５に表示される３次元表示の際の右眼用画像および左眼用画像の間隔を、距離測定部１３によって測定された距離に基づいて制御する。
【００７３】
ＣＰＵ２０は、さらに、表示部１５に表示されるフォントのサイズ、表示部１５の表示のコントラスト、マイク２４の感度およびスピーカ２５の音量を、距離測定部１３によって測定された距離に基づいて制御する。
【００７４】
ＲＡＭ２１は、携帯電話機１の処理動作に必要な各種のデータが記録される。
【００７５】
表示実行部としての液晶ディスプレイ１５ａは、種々の表示を実行する。光供給部としてのバックライト１５ｂは、液晶ディスプレイ１５ａの表示に明るさを与えるために、液晶ディスプレイ１５ａに光を供給する。
【００７６】
ＣＰＵ２０は、液晶ディスプレイ１５ａが表示を実行しているときにバックライト１５ｂから液晶ディスプレイ１５ａに供給される光の量を距離測定部１３によって測定された距離に基づいて変更する。
【００７７】
なお、表示部１５として、有機ＥＬディスプレイのように、複数の画素を有し、各画素が発光することにより表示を実行する表示部が用いられている場合、ＣＰＵ２０は、画素の発光強度を距離測定部１３によって測定された距離に基づいて変更する。
【００７８】
通信制御部２２は、所定の通信プロトコルに応じた通信処理を行うことによって、電話機としての機能を実行する。
【００７９】
音声信号処理部２３は、マイク２４から入力される音声信号を通信制御部２２に供給する。また、音声信号処理部２３は、通信制御部２４から入力される音声信号に応じた音声をスピーカ２５に出力させる。
【００８０】
画像信号処理部２６は、オートフォーカスカメラ１４から入力される画像信号を処理する。Ａ／Ｄ変換器２７は、距離測定部１３から供給される距離情報をデジタル信号に変換する。なお、距離測定部１３がデジタルの距離情報を出力する場合、Ａ／Ｄ変換器２７は省略されてもよい。
【００８１】
次に、動作を説明する。
【００８２】
図３は、ユーザまでの距離に応じて表示の明るさを制御する動作を説明するためのフローチャートである。以下、図３を参照して動作を説明する。なお、携帯電話機１が図３に示した動作を実行している際、表示部１５は、何らかの表示を行っているものとする。
【００８３】
ユーザが、表示の明るさ自動設定モードを開始するために操作部１１を操作すると、ＣＰＵ２０は表示の明るさ自動設定モードを開始し（ステップ３ａ）、その後、オートフォーカスカメラ１４および距離測定部１３を起動する（ステップ３ｂ）。
【００８４】
オートフォーカスカメラ１４および距離測定部１３は、オートフォーカスでレンズ１４ａを動かしてユーザに焦点を合わせる（ステップ３ｃ）。
【００８５】
距離測定部１３はレンズ１４ａの位置に基づいてユーザの顔までの距離を測定する（ステップ３ｄ）。距離測定部１３は、測定した距離を示す距離情報をＣＰＵ２０に出力する。
【００８６】
なお、距離測定部１３としてアクティブセンサが用いられる場合には、ＣＰＵ２０は、ステップ３ｂを実行した後、距離測定部１３にユーザまでの距離を測定させる。この場合、ＣＰＵ２０はカメラのオートフォーカスを実行しない。
【００８７】
続いて、ＣＰＵ２０は、距離測定部１３から供給された距離情報が示す距離が制御基準値Ｂ以上であるか否かを判断する（ステップ３ｅ）。なお、制御基準値Ｂは、例えばＲＡＭ２１に記録されている。
【００８８】
ステップ３ｅで、距離測定部１３から供給された距離情報が示す距離が制御基準値Ｂ以上である場合、ＣＰＵ２０は、バックライト１５ｂの光量を第１の光量にする。なお、本実施例では、バックライト１５ｂの光量が第１の光量であるときの表示部１５の表示の明るさを「明」とする（ステップ３ｇ）。
【００８９】
図４は、ステップ３ｇのときの表示部１５の表示の明るさの一例を示した説明図である。なお、図４において、図１に示したものと同一構成のものには同一符号を付してある。図４において、携帯電話機１は、ユーザ３０によって保持されている。
【００９０】
図３に戻って、ステップ３ｅで、距離測定部１３から供給された距離情報が示す距離が制御基準値Ｂ以上でない場合、ＣＰＵ２０は、距離測定部１３から供給された距離情報が示す距離が制御基準値Ａ以上であるか否かを判断する（ステップ３ｆ）。なお、制御基準値Ａは、制御基準値Ｂよりも小さい値である。制御基準値Ａは、例えば、ＲＡＭ２１に記録されている。
【００９１】
ステップ３ｆで、距離測定部１３から供給された距離情報が示す距離が制御基準値Ａ以上である場合、ＣＰＵ２０は、バックライト１５ｂの光量を第２の光量にする。なお、第２の光量は、第１の光量よりも小さい値である。なお、本実施例では、バックライト１５ｂの光量が第２の光量であるときの表示部１５の表示の明るさを「中」とする（ステップ３ｈ）。
【００９２】
図５は、ステップ３ｈのときの表示部１５の表示の明るさの一例を示した説明図である。なお、図５において、図４に示したものと同一構成のものには同一符号を付してある。
【００９３】
図３に戻って、ステップ３ｆで、距離測定部１３から供給された距離情報が示す距離が制御基準値Ａ以上でない場合、ＣＰＵ２０は、バックライト１５ｂの光量を第３の光量にする。なお、第３の光量は、第２の光量よりも小さい値である。なお、本実施例では、バックライト１５ｂの光量が第３の光量であるときの表示部１５の表示の明るさを「暗」とする（ステップ３ｉ）。
【００９４】
図６は、ステップ３ｉのときの表示部１５の表示の明るさの一例を示した説明図である。なお、図６において、図４に示したものと同一構成のものには同一符号を付してある。
【００９５】
図３に戻って、表示部１５の表示の明るさの設定（ステップ３ｇ、３ｈまたは３ｉ）が終了すると、ＣＰＵ２０はオートフォーカスカメラ１４および距離測定部１３の動作を終了する（ステップ３ｊ）。
【００９６】
ＣＰＵ２０は、ステップ３ｊ終了後、１０秒待機する（ステップ３ｋ）。なお、ステップ３ｋでの待機時間は、１０秒に限らず、適宜変更可能である。
【００９７】
ＣＰＵ２０は、ステップ３ｋ終了後、処理をステップ３ｂに戻し、上記の動作を繰り返し、ユーザまでの距離に応じて、表示部１５の表示の明るさを自動的に設定する。
【００９８】
本実施例では、表示の明るさがユーザまでの距離に基づいて制御される。このため、ユーザまでの距離が長くなるにつれて自動的に表示の明るさを徐々に明るくすることが可能となる。したがって、ユーザが手動で表示部の設定を変更することなく、ユーザは表示部１５の表示を容易に認識することが可能となる。
【００９９】
図７は、ユーザまでの距離に応じて、右眼用画像と左眼用画像との間隔を制御する動作を説明するためのフローチャートである。以下、図７を参照して動作を説明する。なお、携帯電話機１が図７に示した動作を実行している際、表示部１５は、右眼用画像と左眼用画像とを表示しているものとする。
【０１００】
ユーザが、右眼用画像と左眼用画像との間隔自動設定モードを開始するために操作部１１を操作すると、ＣＰＵ２０は右眼用画像と左眼用画像との間隔自動設定モードを開始し（ステップ７ａ）、その後、オートフォーカスカメラ１４および距離測定部１３を起動する（ステップ７ｂ）。
【０１０１】
オートフォーカスカメラ１４および距離測定部１３は、オートフォーカスでレンズ１４ａを動かしてユーザに焦点を合わせる（ステップ７ｃ）。
【０１０２】
距離測定部１３はレンズ１４ａの位置に基づいてユーザの顔までの距離を測定する（ステップ７ｄ）。距離測定部１３は、測定した距離を示す距離情報をＣＰＵ２０に出力する。
【０１０３】
なお、距離測定部１３としてアクティブセンサが用いられる場合には、ＣＰＵ２０は、ステップ７ｂを実行した後、距離測定部１３にユーザまでの距離を測定させる。この場合、ＣＰＵ２０はカメラのオートフォーカスを実行しない。
【０１０４】
続いて、ＣＰＵ２０は、距離測定部１３から供給された距離情報が示す距離が制御基準値Ｂ以上であるか否かを判断する（ステップ７ｅ）。なお、制御基準値Ｂは、例えばＲＡＭ２１に記録されている。
【０１０５】
ステップ７ｅで、距離測定部１３から供給された距離情報が示す距離が制御基準値Ｂ以上である場合、ＣＰＵ２０は、表示部１５に表示されている右眼用画像および左眼用画像との間隔を第１の間隔にする。なお、本実施例では、第１の間隔を「長」とする（ステップ７ｇ）。
【０１０６】
ステップ７ｅで、距離測定部１３から供給された距離情報が示す距離が制御基準値Ｂ以上でない場合、ＣＰＵ２０は、距離測定部１３から供給された距離情報が示す距離が制御基準値Ａ以上であるか否かを判断する（ステップ７ｆ）。なお、制御基準値Ａは、制御基準値Ｂよりも小さい値である。制御基準値Ａは、例えば、ＲＡＭ２１に記録されている。
【０１０７】
ステップ７ｆで、距離測定部１３から供給された距離情報が示す距離が制御基準値Ａ以上である場合、ＣＰＵ２０は、右眼用画像と左眼用画像との間隔を第２の間隔にする。なお、第２の間隔は、第１の間隔よりも狭い間隔である。なお、本実施例では、第２の間隔を「中」とする（ステップ７ｈ）。
【０１０８】
ステップ７ｆで、距離測定部１３から供給された距離情報が示す距離が制御基準値Ａ以上でない場合、ＣＰＵ２０は、右眼用画像と左眼用画像との間隔を第３の間隔にする。なお、第３の間隔は、第２の間隔よりも狭い間隔である。なお、本実施例では、第３の間隔を「短」とする（ステップ７ｉ）。
【０１０９】
右眼用画像と左眼用画像との間隔の設定（ステップ７ｇ、７ｈまたは７ｉ）が終了すると、ＣＰＵ２０はオートフォーカスカメラ１４および距離測定部１３の動作を終了する（ステップ７ｊ）。
【０１１０】
ＣＰＵ２０は、ステップ７ｊ終了後、１０秒待機する（ステップ７ｋ）。なお、ステップ７ｋでの待機時間は、１０秒に限らず、適宜変更可能である。
【０１１１】
ＣＰＵ２０は、ステップ７ｋ終了後、処理をステップ７ｂに戻し、上記の動作を繰り返し、ユーザまでの距離に応じて、右眼用画像と左眼用画像との間隔を自動的に設定する。
【０１１２】
本実施例では、右眼用画像と左眼用画像との間隔が、距離測定部１３によって測定された距離に基づいて制御される。このため、ユーザまでの距離が長くなるにつれて自動的に右眼用画像と左眼用画像との間隔を長くすることが可能となる。
【０１１３】
したがって、ユーザが手動で表示部１５の設定を変更することなく、ユーザは、表示部１５の表示を容易に認識し、かつ、ユーザと携帯電話機１との距離の変動にかかわらず、３次元表示を同じ立体感で得ることが可能となる。
【０１１４】
図８は、ユーザまでの距離に応じて、表示フォントサイズを制御する動作を説明するためのフローチャートである。以下、図８を参照して動作を説明する。なお、携帯電話機１が図８に示した動作を実行している際、表示部１５は、何らかの表示を実行しているものとする。
【０１１５】
ユーザが、フォントサイズ自動設定モードを開始するために操作部１１を操作すると、ＣＰＵ２０はフォントサイズ自動設定モードを開始し（ステップ８ａ）、その後、ステップ８ｃ、８ｄおよび８ｅとを実行する。なお、ステップ８ｃは図７に示したステップ７ｃと同じである。また、ステップ８ｄは図７に示したステップ７ｄと同じである。また、ステップ８ｅは図７に示したステップ７ｅと同じである。
【０１１６】
ステップ８ｅで、距離測定部１３から供給された距離情報が示す距離が制御基準値Ｂ以上である場合、ＣＰＵ２０は、表示部１５に表示されているフォントのフォントサイズを第１のサイズにする。なお、本実施例では、第１のサイズを「大」とする（ステップ８ｇ）。
【０１１７】
図９は、ステップ８ｇのときの表示部１５の表示の一例を示した説明図である。
【０１１８】
図８に戻って、ステップ８ｅで、距離測定部１３から供給された距離情報が示す距離が制御基準値Ｂ以上でない場合、ＣＰＵ２０は、ステップ８ｆを実行する。なお、ステップ８ｆは図７に示したステップ７ｆと同じである。
【０１１９】
ステップ８ｆで、距離測定部１３から供給された距離情報が示す距離が制御基準値Ａ以上である場合、ＣＰＵ２０は、フォントサイズを第２のサイズにする。なお、第２のサイズは、第１のサイズよりも小さいサイズである。なお、本実施例では、第２のサイズを「中」とする（ステップ８ｈ）。
【０１２０】
図１０は、ステップ８ｈのときの表示部１５の表示の一例を示した説明図である。
【０１２１】
図８に戻って、ステップ８ｆで、距離測定部１３から供給された距離情報が示す距離が制御基準値Ａ以上でない場合、ＣＰＵ２０は、フォントサイズを第３のサイズにする。なお、第３のサイズは、第２のサイズよりも小さいサイズである。なお、本実施例では、第３のサイズを「小」とする（ステップ８ｉ）。
【０１２２】
図１１は、ステップ８ｉのときの表示部１５の表示の一例を示した説明図である。
【０１２３】
図８に戻って、フォントサイズの設定（ステップ８ｇ、８ｈまたは８ｉ）が終了すると、ＣＰＵ２０はステップ８ｊおよび８ｋを実行する。なお、ステップ８ｊは図７に示したステップ７ｊと同じであり、ステップ８ｋは図７に示したステップ７ｋと同じである。
【０１２４】
ＣＰＵ２０は、ステップ８ｋ終了後、処理をステップ８ｂに戻し、上記の動作を繰り返し、ユーザまでの距離に応じて、フォントサイズを自動的に設定する。
【０１２５】
さらに、ＣＰＵ２０は、マイク２４の感度、スピーカ２５の音量および表示のコントラストを距離測定部１３から供給された距離情報に基づいて設定する。
【０１２６】
なお、本実施例では、ＣＰＵ２０は、表示の明るさ、右眼用画像と左眼用画像との間隔、フォントサイズ、表示のコントラスト、マイクの感度、スピーカの音量を距離測定部１３から供給された距離情報に基づいて別々に制御するようにしたが、ＣＰＵ２０は、これらのいくつかを距離測定部１３から供給された距離情報に基づいて同時に制御するようにしてもよい。この場合、例えば、表示に関する制御（表示の明るさ、右眼用画像と左眼用画像との間隔、フォントサイズ、表示のコントラスト）を組み合わせることによって、表示部１５の表示がさらに見やすくなる。
【０１２７】
また、ＣＰＵ２０は、所定時間内に距離測定部１３にユーザまでの距離を複数回測定させ、距離所定時間内に距離測定部１３によって複数回測定された距離の平均値を算出し、表示部１５に表示される表示の明るさ、表示部１５に表示される３次元表示の際の右眼用画像および左眼用画像の間隔、フォントサイズ、表示のコントラスト、マイクの感度またはスピーカの音量を、算出した距離の平均値に基づいて制御するようにしてもよい。
【０１２８】
例えば、図３に示したステップ３ｄまたは図７に示したステップ７ｄにおいて、ＣＰＵ２０は、所定時間内に距離測定部１３によって複数回測定された距離の平均値を算出するようにする。
【０１２９】
続いて、ＣＰＵ２０は、図３に示したステップ３ｅおよび３ｆまたは図７に示したステップ７ｅおよび７ｆにおいて、算出した距離の平均値と制御基準値との比較を行うようにする。
【０１３０】
ＣＰＵ２０が、表示の明るさまたは右眼用画像と左眼用画像との間隔などの表示部１５による表示を距離の平均値に基づいて制御する場合、以下のような効果を奏する。
【０１３１】
距離の平均値の変化は、個々の測定によって得られる距離ごとの変化より小さくなる可能性が高い。このため、例えば、測定された距離の平均値に基づいて表示の明るさまたは右眼用画像と左眼用画像との間隔を制御する場合、個々の測定距離に応じて、表示の明るさまたは右眼用画像と左眼用画像との間隔を変化させる場合に比べて、表示の明るさの変動または右眼用画像と左眼用画像との間隔の変動を少なくすることが可能となる。よって、ユーザが表示内容を容易に認識することが可能な表示を実行することが可能となる。
【０１３２】
特に、携帯電話機がユーザによって保持されている場合、携帯電話機とユーザとの間の距離は微妙に変化する可能性が高い。この微妙に変化するユーザとの間の距離に応じて、表示の明るさまたは右眼用画像と左眼用画像との間隔が制御されると、例えば、表示の明るさまたは右眼用画像と左眼用画像との間隔が微妙に変化するチャタリングのような現象が生じてしまう。表示の明るさまたは右眼用画像と左眼用画像との間隔が、測定された距離ではなく、距離の平均値に基づいて制御されるようにすれば、表示にチャタリングのような現象が生じてしまうことを少なくすることが可能となる。
【０１３３】
また、ＣＰＵ２０は、距離測定部１３によって測定された距離が制御基準値（ＡまたはＢ）を第１の所定値以上上回った際に表示の明るさ、右眼用画像と左眼用画像との間隔、フォントサイズ、表示のコントラスト、マイクの感度またはスピーカの音量を変更し、距離測定部１３によって測定された距離が制御基準値を第２の所定値以上下回った際に表示の明るさ、右眼用画像と左眼用画像との間隔、フォントサイズ、表示のコントラスト、マイクの感度またはスピーカの音量を変更前の状態にするようにしてもよい。
【０１３４】
この場合、測定された距離が制御基準値近傍で変動する場合でも、例えば、表示の明るさまたは右眼用画像と左眼用画像との間隔などの表示部１５による表示が頻繁に変わることを防止することが可能となる。よって、ユーザが表示内容を容易に認識することが可能な表示を実行することが可能となる。
【０１３５】
なお、本実施例では、制御基準値をＡとＢの２つとしているが、制御基準値は２つに限るものでなく適宜変更可能である。
【０１３６】
また、表示の明るさを設定するために使用する制御基準値は、右眼用画像と左眼用画像との間隔を設定するために使用する制御基準値と、同じであってもよいし、異なってもよい。
【０１３７】
また、本実施例では、ＣＰＵ２０は、表示の明るさ、右眼用画像と左眼用画像との間隔、フォントサイズ、表示のコントラスト、マイクの感度またはスピーカの音量をユーザまでの距離に応じて段階的に変化させるようにしたが、例えば、制御基準値の数を多くすることにより、表示の明るさ、右眼用画像と左眼用画像との間隔、フォントサイズ、表示のコントラスト、マイクの感度またはスピーカの音量をユーザまでの距離に応じて無段階に変化させるようにしてもよい。
【０１３８】
また、ＣＰＵ２０は、ユーザまでの距離に応じた、表示の明るさの変化、右眼用画像と左眼用画像との間隔の変化、フォントサイズの変化、表示のコントラストの変化、マイクの感度の変化またはスピーカの音量の変化を、線形変化としてもよいし、対数的な変化のような非線形変化としてもよい。
【０１３９】
また、ＣＰＵ２０は、表示の明るさ、右眼用画像と左眼用画像との間隔、フォントサイズ、表示のコントラスト、マイクの感度またはスピーカの音量をユーザまでの距離に比例させて変化させなくてもよい。例えば、ＣＰＵ２０は、ユーザまでの距離が０の場合でも、表示の明るさが所定の明るさになるようにしてもよし、右眼用画像と左眼用画像との間隔が所定の間隔になるようにしてもよい。
【０１４０】
また、ＣＰＵ２０は、ユーザまでの距離が長くなるにつれて表示の明るさが徐々に明るくなるようにしてもよい。また、ＣＰＵ２０は、ユーザまでの距離が長くなるにつれてフォントが徐々に小さくなるようにしてもよい。
【０１４１】
また、図１において、オートフォーカスカメラ１４、距離測定部１３および表示部１５とが、携帯電話機１の内側面１ａに設けられている場合の例を示したが、オートフォーカスカメラ１４、距離測定部１３および表示部１５とが、携帯電話機１の外側面１ｂに設けられていてもよい。
【０１４２】
また、携帯電話機１が折り畳み式の携帯電話機でない場合、携帯電話機において、オートフォーカスカメラ１４、距離測定部１３および表示部１５とを、操作部が設けられていない面に設けてもよい。
【０１４３】
以上説明した実施例において、図示した構成は単なる一例であって、本発明はその構成に限定されるものではない。
【図面の簡単な説明】
【０１４４】
【図１】本発明の一実施例の携帯電話機を示した模式図である。
【図２】本発明の一実施例の携帯電話機を示したブロック図である。
【図３】本携帯電話機の動作を説明するためのフローチャートである。
【図４】本携帯電話機の表示の一例を示した説明図である。
【図５】本携帯電話機の表示の他の例を示した説明図である。
【図６】本携帯電話機の表示のさらに他の例を示した説明図である。
【図７】本携帯電話機の動作を説明するためのフローチャートである。
【図８】本携帯電話機の動作を説明するためのフローチャートである。
【図９】本携帯電話機の表示の一例を示した説明図である。
【図１０】本携帯電話機の表示の他の例を示した説明図である。
【図１１】本携帯電話機の表示のさらに他の例を示した説明図である。
【符号の説明】
【０１４５】
１      携帯電話機
１ａ    内側面
１ｂ    外側面
１１    操作部
１２    アンテナ
１３    距離測定部
１４    オートフォーカスカメラ
１５    表示部
１６    ヒンジ
１７    上部筐体
１８    下部筐体
１９    ＲＯＭ
２０    ＣＰＵ
２１    ＲＡＭ
２２    通信制御部
２３    音声信号処理部
２４    マイク
２５    スピーカ
２６    画像信号処理部
２７    Ａ／Ｄ変換部
【図１】
2005202208.tif 000003
【図２】
2005202208.tif 000004
【図３】
2005202208.tif 000005
【図４】
2005202208.tif 000006
【図５】
2005202208.tif 000007
【図６】
2005202208.tif 000008
【図７】
2005202208.tif 000009
【図８】
2005202208.tif 000010
【図９】
2005202208.tif 000011
【図１０】
2005202208.tif 000012
【図１１】
2005202208.tif 000013